(57)【要約】【課題】カラー画像形成装置において、紙間にトナーパッチを形成し、より安定した画像を得ようとしているものの、一方では、対応するハーフトーンの種類が増える事に伴い、調整処理に必要なトナーパッチの種類の増加に対応しなければならない問題がある。【解決手段】記録材のサイズと画素データのサイズを比較し、記録材の余白部分を識別することにより、連続印刷動作の紙間に相当するライン数と、ｎページ目の後端余白ライン数と、ｎ＋１ページ目の先端余白ライン数分を加えたライン数分で濃度補正動作を行なうことで、トナーパッチをより多く形成しトナーパッチの種類の増加に対応することが可能になる。【選択図】図６
2010266536.tif 000002
【特許請求の範囲】
【請求項１】
画像データの示す画像を中間転写体に画像を形成する画像形成手段と、
前記画像形成手段で形成された画像を記録材へ転写する転写手段と、
前記中間転写体にキャリブレーション用パターンを形成するパターン形成手段と、
前記中間転写体に形成されたキャリブレーション用パターンを読取る検知手段と、
前記検知手段で読取った結果に基づいて画像形成条件を変更する条件変更手段と、
前記転写手段による転写を実行する前に、中間転写体に形成されたキャリブレーション用パターンを除去するクリーニング手段と、
前記記録材の領域と、前記画像データの示す画像の前記記録材における領域とを比較し、余白部分を識別する余白識別手段と
を備え、前記パターン形成手段は、複数の記録材を連続して画像形成する場合、連続する記録材と記録材との間に前記識別された余白を加えた領域に対応する前記中間転写体上の領域に、前記キャリブレーション用パターンを形成することを特徴とする画像形成装置。
【請求項２】
前記クリーニング手段は、前記中間転写体のうち、キャリブレーション用パターンが形成される位置のみに当接し、前記中間転写体上のキャリブレーション用パターンを除去することを特徴とする請求項１記載の画像形成装置。
【請求項３】
前記画像形成手段は、前記画像データに前記キャリブレーション用パターンの画像データを重ねて得られるデータに基づいて画像を形成することを特徴とする請求項１記載の画像形成装置。
【請求項４】
画像データの示す画像を中間転写体に画像を形成する画像形成ステップと、
前記画像形成ステップで形成された画像を記録材へ転写する転写ステップと、
前記中間転写体にキャリブレーション用パターンを形成するパターン形成ステップと、
前記中間転写体に形成されたキャリブレーション用パターンを読取る検知ステップと、
前記検知手段で読取った結果に基づいて画像形成条件を変更する条件変更ステップと、
前記転写手段による転写を実行する前に、中間転写体に形成されたキャリブレーション用パターンを除去するクリーニングステップと、
前記記録材の領域と、前記画像データの示す画像の前記記録材における領域とを比較し、余白部分を識別する余白識別ステップと
を備え、前記パターン形成ステップは、複数の記録材を連続して画像形成する場合、連続する記録材と記録材との間に前記識別された余白を加えた領域に対応する前記中間転写体上の領域に、前記キャリブレーション用パターンを形成することを特徴とする画像形成方法。
【発明の詳細な説明】
【技術分野】
【０００１】
本発明は、カラー画像形成装置に関し、特にトナーパッチによりキャリブレーションを実行するカラー画像形成装置に関する。
【背景技術】
【０００２】
従来、カラー画像印刷装置は、動作環境の温湿度の変化や経時的な作像系部材の劣化等により、得られる画像の濃度が変動するため、定期的な画像形成条件の調整処理（キャリブレーション）を行なっている。
【０００３】
一般に電子写真方式のカラー画像形成装置の場合、一定の階調−濃度特性が得られるように、各色のトナーで濃度検知用トナーパッチを中間転写体やドラム等の上に作成し、そのトナーパッチの濃度を各色のトナー用濃度検知センサで検知する。そのトナーパッチの濃度検知結果により、露光量、現像バイアスなどのプロセス条件にフィードバックをかけ条件変更を行って濃度制御を行い、安定した画像を得るように画像形成装置が構成されている。
【０００４】
このような画像形成装置で連続印刷する場合、調整処理を印刷終了まで待つと適切な調整ができないこともある。このため、印刷中にも調整処理が可能なように、連続印刷時に濃度検知用トナーパッチを紙間に形成し濃度調整を行なうことで、より安定した画像を得る技術が提案されている（例えば、特許文献１）。また、オブジェクト毎にハーフトーン処理の定義が変化する様な画像入力に対しても、オブジェクト毎に指定されたハーフトーン処理を行なえる構成が提案されている（特許文献２）。
【先行技術文献】
【特許文献】
【０００５】
【特許文献１】特開２００１−１９４８６２号公報
【特許文献２】特開２００４−３５８７５６号公報
【発明の概要】
【発明が解決しようとする課題】
【０００６】
しかしながら、背景技術にて説明した連続印刷時の紙間にトナーパッチを形成し、より安定した画像を得る技術で、更に高画質を実現するためには、オブジェクト毎にハーフトーン処理を切り替える構成が必要となりハーフトーンの種類が増える。その結果、濃度調整に必要なトナーパッチの種類を増加させなければならず、その分紙間を多く取らなければならないという問題がある。
【０００７】
本発明は上記問題点に鑑みてなされたものであり、連続印刷時にトナーパッチを形成できる領域を出来る限り広げ、必要な濃度調整を紙間を広げること無く行なうことを目的とするものである。
【課題を解決するための手段】
【０００８】
上記目的を達成するために本発明の画像形成装置は、画像データの示す画像を中間転写体に画像を形成する画像形成手段と、画像形成手段で形成された画像を記録材へ転写する転写手段と、中間転写体にキャリブレーション用パターンを形成するパターン形成手段と、中間転写体に形成されたキャリブレーション用パターンを読取る検知手段と、検知手段で読取った結果に基づいて画像形成条件を変更する条件変更手段と、転写手段による転写を実行する前に、中間転写体に形成されたキャリブレーション用パターンを除去するクリーニング手段と、記録材の領域と、画像データの示す画像の記録材における領域とを比較し、余白部分を識別する余白識別手段とを備え、パターン形成手段は、複数の記録材を連続して画像形成する場合、連続する記録材と記録材との間に前記識別された余白を加えた領域に対応する中間転写体上の領域に、キャリブレーション用パターンを形成することを特徴とする。
【０００９】
また、本発明の画像形成方法は、画像データの示す画像を中間転写体に画像を形成する画像形成ステップと、画像形成ステップで形成された画像を記録材へ転写する転写ステップと、中間転写体にキャリブレーション用パターンを形成するパターン形成ステップと、中間転写体に形成されたキャリブレーション用パターンを読取る検知ステップと、検知手段で読取った結果に基づいて画像形成条件を変更する条件変更ステップと、転写手段による転写を実行する前に、中間転写体に形成されたキャリブレーション用パターンを除去するクリーニングステップと、記録材の領域と、画像データの示す画像の記録材における領域とを比較し、余白部分を識別する余白識別ステップとを備え、パターン形成ステップは、複数の記録材を連続して画像形成する場合、連続する記録材と記録材との間に識別された余白を加えた領域に対応する中間転写体上の領域に、キャリブレーション用パターンを形成することを特徴とする。
【発明の効果】
【００１０】
本発明によれば、連続印刷時の紙間での調整に加えて余白部分でも濃度調整を行なえるので、紙間を長くすることなく濃度調整の時間を多くとることができる。
【図面の簡単な説明】
【００１１】
【図１】本発明の第一の実施例における、カラープリンタの断面図である。
【図２】本発明の第一の実施例における、カラープリンタの配置構成を表す図である。
【図３】本発明の第一の実施例における、カラープリンタの制御部のブロック図である。
【図４】本発明の第一の実施例における、入力-出力（階調-濃度）特性図である。
【図５】本発明の第一の実施例における、用紙に対する有効画像領域を示す模式図である。
【図６】本発明の第一の実施例における、連続印刷中の用紙および画像の位置を仮想的に中間転写ベルト上に投影した模式図である。
【図７】本発明の第一の実施例における、有効画像領域の余白部分を識別する処理のフローチャートである。
【図８】本発明の第二の実施例における、カラープリンタの断面図である。
【図９】本発明の第二の実施例における、カラープリンタの配置構成を表す図である。
【図１０】本発明の第二の実施例における、連続印刷中の用紙および画像の位置を仮想的に中間転写ベルト上に投影した模式図である。
【図１１】本発明の第二の実施例における、有効画像領域の余白部分を識別する処理のフローチャートである。
【図１２】本発明の第二の実施例における、有効画像領域の余白部分を識別する処理のフローチャートである。
【発明を実施するための形態】
【００１２】
以下、本発明を実施するための最良の形態について図面を用いて説明する。
【００１３】
［実施形態1］
図１は本発明の特徴を表すカラープリンタの断面図であり、以下本願の添付図面において、同機能の要素には同じ符号を割り当てる。また、符号の後にａ、ｂ、ｃ、ｄと付すことで同一機能を実行する複数の構成例えば複数色用の同一機能を実行する構成が存在することを示す。この場合ａ、ｂ、ｃ、ｄは別の色、例えばそれぞれ黒、マゼンタ、シアン、イエロー用の構成を示すようにする。
【００１４】
図２は、本発明の特徴を表すカラープリンタのプリンタ本体１００を含む配置構成を表す図である。
【００１５】
プリンタ本体１００は、は感光体ドラム１、感光体ドラム１を均一に帯電する帯電器２、ビデオデータに同期させてレーザ光を走査し、感光体ドラム１上に潜像を作像するレーザスキャナ３を備える。また、プリンタ本体１００は、感光体ドラム１上の潜像を可視化する現像器４、紙を格納する紙カセット５、紙カセット５内の紙を本体に給紙する給紙ローラ6を備える。さらに、給紙ローラ６で給紙された紙を一旦停止し、画像とタイミングを合わせて紙搬送を再開するレジストローラ7も備える。
【００１６】
トナー像を重ね合わせてカラー画像を転写する中間転写体である中間転写ベルト８に、１次転写器９は感光体ドラム１上のトナー像を転写し、中間転写ベルト８上のトナー像を、２次転写器１０は搬送された紙に転写する。
【００１７】
また、プリンタ本体１００は、加熱および加圧することにより紙上のトナー像を定着する定着器１１、紙の有無を判別する排紙センサ１２、紙を機外に排出する排紙ローラ１３および排紙トレイ１４を備える。さらに、コントローラ制御部１５、エンジン制御部１６および中間転写ベルト８上のトナー像の濃度を検出する濃度センサ１７を備える。
【００１８】
クリーニングローラ１８は、トナーと逆極性の電荷を加える事でトナー像を中間転写ベルト８から除去し、ブレード１９はクリーニングローラ１８上のトナーを掻き落とし、排トナーボックス２０はブレード１９により掻き落としたトナーを貯める。
【００１９】
図３は、カラープリンタの制御部のブロック図である。同図において、カラープリンタの制御部は、画素データを生成する画像処理手段としてのコントローラ制御部１５と、エンジン制御部１６とに大別できる。コントローラ制御部１５は、外部のホストコンピュータ等よりコード化された画像データを受け取り、そのコードデータをビットマップ化された画素データに変換し、その画素データをエンジン制御部１６に送る役割をもつ。
【００２０】
また、エンジン制御部１６は、コントローラ制御部１５より受けた画素データに従ってトナー画像を記録材としての紙に形成する役割をもつ。コントローラ制御部１５は、制御手段としてＣＰＵ２１を有している。ＣＰＵ２１には内部バス２９を介して以下の各デバイスが接続されている。すなわち、外部Ｉ／Ｆ２２、画素データ用ＲＡＭ２３、プログラム用ＲＯＭ２４、コード格納ＲＡＭ２５、ＤＭＡコントローラ２６、エンジン制御Ｉ／Ｏ２７、補正用データ生成回路３０および表示部２８などである。
【００２１】
内部バス２９はデータバス、アドレスバス、コントロールバスから構成されており、ＣＰＵ２１から各デバイスのアクセスが可能となっている。以上のようなコントローラ制御部１５は、外部インタフェース（例えばセントロニクス型パラレルインタフェース、あるいはＲＳ２３２Ｃ型シリアルインタフェース）を介してコード化された画像データを受け取る。
【００２２】
受信したコードデータは外部Ｉ／Ｆ２２に入力される。ＣＰＵ２１は、画像データの送信準備処理として外部Ｉ／Ｆ２２を介して入力されたコードデータをＲＡＭ２５に格納すると共に、コードデータを所定のフォーマットにしたがって画素データに変換し、画素データをＲＡＭ２３の特定のアドレスに格納する。なお、電子写真プロセスを使った画像形成では、１画素で表現できる階調数が少ないため、画素データへの変換において、複数画素で階調表現を行なう擬似中間調（例えばディザ法や誤差拡散法）を行なっている。
【００２３】
変換された画素データを格納するＲＡＭ２３は、いわゆるビットマップメモリである。コードデータから画素データに変換するプログラムはＲＯＭ２４に格納されている。
【００２４】
以上のように変換、格納を行ってＣＰＵ２１は、後述のエンジン制御部１６がデータの受け取り可能であることを確認してＤＭＡコントローラ２６をアクティブの状態にする。ＤＭＡコントローラ２６は、内部バス２９を専有してＲＡＭ２３に格納された画素データを所定のアドレスから読み出していく。ＤＭＡコントローラ２６がアクティブになると、ＣＰＵ２１とＤＭＡコントローラ２６は交互に内部バス２９を専有する。
【００２５】
ＤＭＡコントローラ２６は、ＲＡＭ２３の所定のアドレスから画素データを読み出し、読み出したデータをシリアルデータに変換する。変換されたシリアルデータは、後述するエンジン制御部１６より受けとった水平同期信号３１に同期させ画像信号３２としてをエンジン制御部１６に送る。エンジン制御部１６では、送信された画像信号３２に従ってトナー像を形成する。このようにコントローラ制御部１５は、外部より受けた画像データをシリアルデータとした（すなわちラスターイメージとした）画像信号に変換し、エンジン制御部１６に送る。
【００２６】
なお、コントローラ制御部１５は、外部インタフェースを介して受け取る画像データの他に、補正用データ生成回路３０で生成した補正用データも同様にラスターイメージにしてエンジン制御部１６へ送る。エンジン制御部１６では、送信された補正用データに従って、キャリブレーション用パターンとしてのキャリブレーション用のトナー像（以降トナーパッチと呼ぶ）を中間転写ベルト８に形成する。補正用データは、トナー像を形成し濃度センサー１７で濃度を読取ると階調−濃度特性が得られるように、複数の階調をパッチ状に配置したものである。トナーパッチデータを生成するためにディザ法や誤差拡散法を両方使用する場合や、マトリクスや線数を変えたディザ法を複数使用する場合、それぞれの方式毎に別々の補正用データを用意する。
【００２７】
本実施形態では、画像の種類に応じて、写真などに使用する低線数のディザ法と、文字や細線に使用する高線数のディザ法と、印字画像にモアレ発生が少ない誤差拡散法とを併用するため、3種類の補正用データが必要である。このようにしてトナーパッチが形成（すなわち、パターン形成）されると、中間転写ベルト８上に作成されたトナーパッチの濃度を濃度センサ１７で検知し、検出結果はシリアル通信線３３を介してコントローラ制御部１５へ送られる。コントローラ制御部１５は、受け取ったトナーパッチの濃度情報に基づいて画素データの階調−濃度特性を補正する。
【００２８】
その他に、コントローラ制御部１５は、シリアル通信線３３を介してエンジン制御部１６の特定の動作をエンジン制御部１６に指令する役割ももつ。特定の動作の指令（コマンド）は、エンジン制御Ｉ／Ｏ２７によって画像形成手段および給紙制御手段としての１チップマイクロコンピュータ３４に送られる。
【００２９】
すなわち、１チップマイクロコンピュータ３４は、コントローラ制御部１５の指令に従ってエンジン制御部１６内の各部を制御する。また、コントローラ制御部１５は、シリアル通信線３３を介してエンジン制御部１６の内部情報を知ることができる。先ず初期濃度補正処理の説明をする。
【００３０】
コントローラ制御部１５は、電源投入後や所定時間経過後、もしくは消耗品（例えばトナーや中間転写ベルト）の交換後に、エンジン制御Ｉ／Ｏ２７を介し、１チップマイクロコンピュータ３４に対して初期濃度補正動作指令を行なう。１チップマイクロコンピュータ３４は、初期濃度補正動作指令を受け取ると、レーザスキャナモータドライバ３６をアクティブにし、レーザスキャナモータ３７を回転させる。同時に１チップマイクロコンピュータ３４は、画像形成に使用するモータ用のドライバである作像系モータドライバ（各種モータドライバ７０の一部）をアクティブにする。その結果、画像形成に使用するモータである作像系モータ（各種モータ７１の一部）を回転させ、感光体ドラム１や中間転写ベルト８を回転させる。
【００３１】
１チップマイクロコンピュータ３４は、レーザスキャナモータ３７の回転数が所定値に達するのを検知すると、レーザ制御回路３８にレーザ強制点灯指令を出力する。レーザ制御回路３８は、レーザ強制点灯指令を受取るとレーザドライバ３９を駆動させて半導体レーザ４０を発光させる。
【００３２】
半導体レーザ４０から発光したレーザビームは、レーザスキャナモータ３７によって回転するポリゴンミラー（不図示）に照射され、ポリゴンミラーの反射ミラー（不図示）によって反射する。反射ミラーによって反射したビームは、ポリゴンミラーの回転に合わせて感光体ドラム１上を走査する。その一方、ポリゴンミラーの反射ビームは一部ビーム受光素子４１に入射する。ビーム受光素子４１に入射したビームは、電気信号に変換され、ビーム検出回路４２によってデジタルのパルス信号に変換される。
【００３３】
ビーム検出回路４２により出力されたパルス信号は、レーザ制御回路３８に入力され、水平同期信号３１としてコントローラ制御部１５に送られる。レーザ制御回路３８は、水平同期信号を出力できるようになると、半導体レーザ４０を強制的に全点灯するのを停止し、レーザビームがビーム受光素子の近傍のみを照射するように半導体レーザ４０を部分点灯させる。
【００３４】
一方、１チップマイクロコンピュータ３４は、作像系モータ（各種モータ７１の一部）の回転を開始した後、高圧発生回路４３を介して帯電器２、現像器４、１次転写器９、クリーニングローラ１８に順次高圧を印加させていく。高圧により潜像形成が可能な状態になると、１チップマイクロコンピュータ３４は、シリアル通信線３３を介して濃度調整用画像信号を受信する用意ができたとの情報をコントローラ制御部１５に通知する。
【００３５】
ＣＰＵ２１は、通知された情報をエンジン制御Ｉ／Ｏ２７を介して認識し、補正用データ生成回路３０に初期濃度補正動作に必要な所定のパッチ画像の生成を指示する。補正用データ生成回路３０は、各色用に所定のパッチデータ、例えば１０ｍｍ角の正方形で濃度を１０段階に変えたパッチデータを濃度センサ１７が検出できるような位置に生成する。
【００３６】
具体的には、ＣＰＵ２１は、ＤＭＡコントローラ２６をアクティブの状態にする。ＤＭＡコントローラ２６は、補正用データ生成回路３０よりパッチ画像の画素データを読み取り、水平同期信号３１に同期させてシリアルの画像信号３２をレーザ制御回路３８に出力する。レーザ制御回路３８は、画像信号３２に基づいてレーザドライバ３９を駆動し、半導体レーザ４０から濃度調整用画像信号によって変調されたビームを出力させる。変調ビームはポリゴンミラーに入射し、ポリゴンミラーの反射ミラーで反射された後、感光体ドラム１の表面上に照射される。このような状態でポリゴンミラーが回転すると、反射ミラーの角度が周期的に変化し、感光体ドラム１上を走査される。感光体ドラム１の表面は、帯電器２によって帯電されており、その帯電したドラムの表面上を変調されたレーザ光が走査することによって感光体ドラム１の表面上に潜像が形成される。
【００３７】
形成された潜像は現像器４によってトナーパッチに現像され、現像されたトナーパッチは１次転写器９によって中間転写ベルト８に転写される。中間転写ベルト８に転写されたトナーパッチが濃度センサ１７の位置に達すると、１チップマイクロコンピュータ３４は濃度センサ１７にノードを検出させ得られたデータを読み取る。読取られたデータにより、予め定めた複数の階調のトナーパッチデータから各階調に対する濃度データを作成する。作成した濃度データは、シリアル通信線３３を介してコントローラ制御部１５へ送る。ＣＰＵ２１は、受け取った濃度データを用いて、図４の点線で示した入力−出力（階調−濃度）特性になるように入力階調の調整を行なう。図４は、プリンタの初期状態における階調−濃度特性を示す図であり、この特性に沿って濃度を調整すれば適正な条件で現像、定着が可能となる。
【００３８】
なお、中間転写ベルト８上のトナーパッチは、高圧発生回路４３によりトナーと逆極性に帯電されたクリーニングローラ１８上に転写される。クリーニングローラ１８上のトナーパッチは、ブレード１９によりローラから掻き落とされ、排トナーボックス２０に廃棄される。１チップマイクロコンピュータ３４は、中間転写ベルト８上の全てのトナーパッチのクリーニングが終了した後、順次、各動作を停止させる。
【００３９】
次に印字動作の説明をする。コントローラ制御部１５が外部インタフェースを介してホストコンピュータ（図示せず）より印字指令を受信する。ＣＰＵ２１は、ホストコンピュータより受信したコードデータが１ページ分に達したと判断すると、エンジン制御Ｉ／Ｏ２７を介して１チップマイクロコンピュータ３４に対してカセット給紙指令を送信して印字を開始する。１チップマイクロコンピュータ３４は、カセット給紙指令を受信すると、レーザスキャナモータドライバ３６をアクティブにし、レーザスキャナモータ３７を回転させる。
【００４０】
同様に１チップマイクロコンピュータ３４は、搬送、作像系または定着の各種モータドライバ７０をアクティブにして各種モータ７１を回転させ、感光体ドラム１、定着器１１内の加熱ローラと加圧ローラを回転させる。また、各種モータ７１は紙を搬送させる役割をもつ。
【００４１】
１チップマイクロコンピュータ３４が、レーザスキャナモータ３７の回転数が所定値に達するのを検知すると、レーザ制御回路３８にレーザ強制点灯指令を出力する。半導体レーザ４０から照射されたレーザビームはレーザスキャナモータ３７によって回転するポリゴンミラー（不図示）に向けられ、反射ミラー（不図示）上に照射される。照射されたビームは、反射ミラーによって反射され、感光体ドラム１上に向けられる。またその一方、ポリゴンミラーからの反射ビームは、一部ビーム受光素子４１に入射する。このような状態でポリゴンミラーが回転すると、反射ミラーの角度が周期的に変化し、ビームが感光体ドラム１上を走査する。
【００４２】
ビーム検出回路４２より出力されたパルス信号は、レーザ制御回路３８に入り、パルス信号は水平同期信号３１としてコントローラ制御部１５に送られる。レーザ制御回路３８は、水平同期信号を出力できるようになると、半導体レーザ４０を強制的に全点灯するのを停止し、レーザビームがビーム受光素子の近傍のみを走査するように、半導体レーザ４０を部分点灯させる。
【００４３】
一方、１チップマイクロコンピュータ３４は、各種モータ７１を回転し始めた後、高圧発生回路４３を介して帯電器２、現像器４、１次転写器９および２次転写器１０に順次高圧を印加させていく。高圧により潜像形成が可能な状態になると、１チップマイクロコンピュータ３４は、シリアル通信線３３を介して画像信号を受信する用意ができたとの情報をコントローラ制御部１５に通知する。
【００４４】
ＣＰＵ２１は、受信した情報をエンジン制御Ｉ／Ｏ２７を介して認識し、ＤＭＡコントローラ２６をアクティブの状態にする。ＤＭＡコントローラ２６は、ＲＡＭ２３より画素データを読み取り、水平同期信号３１に同期させてシリアルの画像信号３２をレーザ制御回路３８に出力する。
【００４５】
レーザ制御回路３８は、画像信号３２に基づいてレーザドライバ３９を駆動し、半導体レーザ４０から画像信号によって変調されたビームを出力させる。変調ビームは、ポリゴンミラーに入射し、ポリゴンミラーの反射ミラーで反射された後、感光体ドラム１の表面上を走査される。感光体ドラム１の表面は、帯電器２によって帯電されており、その帯電したドラムの表面上を変調されたレーザ光が走査することによって感光体ドラム１の表面上に潜像が形成される。潜像は現像器４によってトナー像に現像され、１次転写器９によって中間転写ベルト８に転写される。
【００４６】
一方、１チップマイクロコンピュータ３４は、各種モータ７１の回転を開始した後、定着器１１内の加熱ローラの温度が所定値に上昇するのを確認した後、給紙ローラ６を駆動させ、紙カセット５上に積載された紙を給紙する。給紙された紙はレジストローラ７で一度停止する。中間転写ベルト８に転写されたトナー像が搬送された紙にちょうど重なる位置になるように、１チップマイクロコンピュータ３４はレジストローラ７を駆動する。
【００４７】
ここで、給紙ローラ６およびレジストローラ７の駆動は、各種ソレノイド４４によってＯＮ／ＯＦＦされる。レジストローラ７の駆動により搬送された紙がトナー像に重なる位置に搬送されてくると、２次転写器１０によって中間転写ベルト８上のトナー像が紙に転写される。トナー像を転写された紙は回転する定着器１１内の加熱ローラと加圧ローラの間に搬送される。すなわち、搬送された紙上のトナーは、定着器１１内の加熱ローラと加圧ローラから受ける熱と圧力とによって定着する。そしてトナーが定着した紙は、排紙ローラ１３により排紙トレイ１４に排出される。
【００４８】
なお、このトナーの定着プロセスにおいて、定着器１１内の加熱ローラの表面温度は、１チップマイクロコンピュータ３４によって一定の温度に保たれている。具体的には、定着器１１内の加熱ローラの表面温度がサーミスタ（不図示）に伝達されると、１チップマイクロコンピュータは、サーミスタの出力値が所定値になるようにヒータドライバ４５を介して加熱ローラヒータ７６をＯＮ／ＯＦＦさせる。これにより定着器１１内の加熱ローラの表面温度は一定値に保たれる。また、紙に転写されず、感光体ドラム１の表面に残った不要トナーは、クリーニングローラ１８によって排トナーボックス２０に回収される。１チップマイクロコンピュータ３４は、中間転写ベルト８上のクリーニングが終了した後、順次、各動作を停止する。
【００４９】
図５は、用紙に対する有効画像領域を示す模式図である。図５において、用紙４６は、左端余白４７、右端余白４８、先端余白４９、後端余白５０などの余白分を除いた有効画像領域５１を有する。ＣＰＵ２１は、予め外部インタフェースを介してホストコンピュータから左端余白４７、右端余白４８、先端余白４９、後端余白５０の情報を受け取り、画素データを格納するのに必要なＲＡＭ２３（ビットマップメモリ）の領域を確保する。
【００５０】
図６は、連続印刷中の用紙および画像の位置を仮想的に中間転写ベルト上に投影した模式図である。本実施形態では、図６に示すように、連続印刷中のパッチ画像５２は、中間転写ベルト上に投影した連続印字中の用紙の間隔（以降、紙間と呼ぶ）５３を超えて印刷される。
【００５１】
図７は、ＣＰＵ２１が有効画像領域の余白部分を、記録材と比較して識別する余白識別処理を示すフローチャートである。図７に示すＳ１０１において、ＣＰＵ２１は、左端余白４７、右端余白４８、先端余白４９および後端余白５０の情報を受け取り、搬送方向に直行の主走査方向の画素数と、搬送方向に並行の副走査方向のライン数を設定する。
【００５２】
Ｓ１０２において、ホストコンピュータより印字指令を受信したかを判断し、受信すればＳ１０３へ移行する。Ｓ１０３において、有効画像領域の先端余白部分のライン数を格納する先端白紙ライン数バッファをクリアする。
【００５３】
Ｓ１０４において、有効画像領域の後端余白部分のライン数を格納する後端白紙ライン数バッファをクリアする。Ｓ１０５において、コードデータを受信し、ＲＡＭ２５へ格納する。Ｓ１０６において、受信したコードデータを画素データに変換する。Ｓ１０７において、先端白紙ライン数が確定したか否か判断し、確定していなければＳ１０８へ移行し、確定していればＳ１１２へ移行する。Ｓ１０８において、Ｓ１０６で変換した画素データが白画素データ（トナーを載せない状態を指示するデータ）であるか否か判断し、白画素データであればＳ１０９へ移行し、白画素データでなければＳ１１１へ移行する。Ｓ１０９において、白画素データが１ライン（主走査方向の画素数）連続したか否か判断し、１ライン連続して白画素データであればＳ１１０へ移行し、１ラインに達していなければＳ１１５へ移行する。Ｓ１１０では、先端白紙ライン数バッファの値を＋１加算する。Ｓ１１１では、先端からの白紙ラインが途切れたと判断し、先端白紙ライン数バッファの値を確定する。Ｓ１１２では、先端白紙ライン数が確定した後、後端白紙ライン数の始まりを検出したと判断し、Ｓ１０６で変換した画素データが白画素データであるか否か判断して、白画素データであればＳ１１３へ移行し、白画素データでなければＳ１１５へ移行する。
【００５４】
Ｓ１１３において、白画素データが１ライン（主走査方向の画素数）連続したかを判断し、１ライン連続して白画素データであればＳ１１４へ移行し、１ライン分に達していなければＳ１１５へ移行する。Ｓ１１４では、後端白紙ライン数バッファの値を＋１加算する。Ｓ１１５では、画素データをＲＡＭ２３へ格納する。Ｓ１１６では、１ページ分の画素データを処理したかを判断し、処理が終わっていなければＳ１０５へ戻り、１ページ分の処理が終わればＳ１１７へ移行する。Ｓ１１７では、１ページ分の処理が終わったと判断し、後端白紙ライン数バッファの値を確定する。Ｓ１１８では、前述した印字動作を開始すると共にＳ１０１へ戻り、次のページに対する有効画像領域の余白部分を識別する処理を開始する。
【００５５】
次に、図５、図６および図７を用いて連続印刷中の濃度補正動作の説明をする。なお、連続印刷時の画像形成処理に関しては、上述した１枚印字時と同様の為、濃度補正動作に関係無い部分の説明は省略する。
【００５６】
ＣＰＵ２１は、有効画像領域の余白部分を識別する処理により確定したｎページ目の後端白紙ライン数に、後端余白５０に相当するライン数分を加えたライン数を後端余白ライン数とする。同様に、有効画像領域の余白部分を識別する処理により確定したｎ＋１ページ目の先端白紙ライン数に、先端余白４９に相当するライン数分を加えたライン数を先端余白ライン数とする。従って、紙間に相当するライン数である紙間ライン数と、ｎページ目の後端余白ライン数と、ｎ＋１ページ目の先端余白ライン数とを加えたライン数が、ｎページ目とｎ＋１ページ目との間で濃度補正動作を行なえる領域となる。ＣＰＵ２１は、ｎ＋１ページ目のコードデータを受け取り、ｎページ目とｎ＋１ページ目の紙間での濃度補正動作を行なえる領域を確定し、シリアル通信線３３を介して１チップマイクロコンピュータ３４にパッチ画像の情報を送る。
【００５７】
パッチ画像の情報としては、パッチ画像の開始位置、終了位置、パッチの数、パッチの色、各パッチの濃度などがある。ＣＰＵ２１は、ｎページ目の印字が開始され、画像形成処理が、パッチ画像の開始位置まで実行されると、補正用データ生成回路３０に紙間濃度補正処理に必要な所定のパッチ画像の生成を指示し、ＤＭＡコントローラ２６をアクティブの状態にする。１チップマイクロコンピュータ３４は、ｎページ目のカセット給紙指令を受け取り、ｎページ目の画像形成処理を行なう。これと共に、パッチ画像の情報に基づいて、パッチ画像の開始部分が濃度センサ１７の位置に到達したタイミングで濃度センサ１７のデータの読み取りを開始する。１チップマイクロコンピュータ３４は、読み取ったトナーパッチデータから階調に対する濃度データを作成し、シリアル通信線３３を介してコントローラ制御部１５へ送る。
【００５８】
クリーニングローラ１８は、紙間濃度補正動作の間のみ高圧発生回路４３によりトナーとは逆極性に帯電され、中間転写ベルト８上のトナーパッチはクリーニングローラ１８上に転写される。クリーニングローラ１８上のトナーは、ブレード１９によりローラから掻き落とされ、排トナーボックス２０に廃棄される。また、１チップマイクロコンピュータ３４は、パッチ画像データの読み取りと並行して、ｎ＋１ページ目のカセット給紙指令を受け取り、給紙ローラ６を駆動させ、紙カセット５上に積載されたｎ＋１ページ目の紙を給紙する。その給紙した紙はレジストローラ７で一度停止させる。１チップマイクロコンピュータ３４は、シリアル通信線３３を介して画像信号を受信する用意ができたとの情報をコントローラ制御部１５に通知する。
【００５９】
ＣＰＵ２１は、この情報をエンジン制御Ｉ／Ｏ２７を介して認識し、ｎ＋１ページ目の画像を形成する為にＤＭＡコントローラ２６をアクティブの状態にする。その後、中間転写ベルト８に転写されたｎ＋１ページ目のトナー像が搬送された紙の上に正しく転写されるように、１チップマイクロコンピュータ３４はレジストローラ７を駆動する。
【００６０】
なお、ＣＰＵ２１は、必要なパッチ画像を全て作れないと判断した場合、必要なパッチ画像を分割し、連続印字中の複数の紙間で分割したパッチ画像を形成する。１チップマイクロコンピュータ３４は、シリアル通信線３３を介してパッチ画像の分割情報を受け取り、分割された全てのパッチ画像のデータを取得した後に、濃度データを作成し、シリアル通信線３３を介してコントローラ制御部１５へ送る。ＣＰＵ２１は、受け取った濃度データを使って、図４の点線で示した入力−出力（階調−濃度）特性になるように入力階調の調整を行なう。
【００６１】
以上、実施形態１によれば、紙間に相当するライン数と、ｎページ目の後端余白ライン数と、ｎ＋１ページ目の先端余白ライン数分を加えたライン数分で濃度補正動作を行なえるため、パッチ画像をより多く形成する事が可能になる。
【００６２】
［実施形態２］
図８は、実施形態２の特徴を表すカラープリンタの断面図である。図９は、実施形態２のカラープリンタの配置構成を示す図である。本実施形態の説明において、実施形態１の構成と同じ機能を有する箇所は同じ番号を付してある。図８および図９において、クリーニングローラ５４は、2次転写器１０と1次転写器９との間で、トナーと逆極性の電荷を加えることにより、トナー像を中間転写ベルト８から除去する。ブレード５５はクリーニングローラ５４上のトナーを掻き落とし、排トナーボックス５６はブレード５５により掻き落としたトナーを貯める。クリーニングローラ５７は、濃度センサ１７と2次転写器１０との間で、トナーと逆極性の電荷を加え、それによりトナー像を中間転写ベルト８から除去する。
【００６３】
なお、クリーニングローラ５７は、パッチ画像のサイズに応じた部分のみ中間転写ベルト８と当接しており、パッチ画像を形成する部分以外はトナーと逆極性の電荷を加えてもトナーを転写しない形状となっている。
【００６４】
図１０は、本実施形態の連続印刷中の用紙および画像の位置を仮想的に中間転写ベルト上に投影した模式図である。図１０において、連続印刷中のパッチ画像５８ａは濃度センサ１７aで読み取られ、連続印刷中のパッチ画像５８ｂは濃度センサ１７ｂで読み取られる。画像領域の余白部分（以降、後端左余白）５９は前ページの濃度センサ１７aで読み取るパッチ画像位置に相当し、画像領域の余白部分（以降、後端右余白）６０は前ページの濃度センサ１７ｂで読み取るパッチ画像位置に相当する。画像領域の余白部分（以降、先端左余白）６１は、後ページの濃度センサ１７aで読み取るパッチ画像位置に相当し、画像領域の余白部分（以降、先端右余白）６２は後ページの濃度センサ１７ｂで読み取るパッチ画像位置に相当する。
【００６５】
図１１は、濃度センサ１７aで読み取るパッチ画像位置に相当する画像領域の余白部分を識別する処理のフローチャートであり、図１２は、濃度センサ１７ｂで読み取るパッチ画像位置に相当する画像領域の余白部分を識別する処理のフローチャートである。図１１と図１２との処理の違いは、読み取るパッチ画像位置の違いのみのため、以降、図１１を参照して説明を行い、図１２に関しては説明を省略する。
【００６６】
図１１において、Ｓ２０１では、ＣＰＵ２１が左端余白４７、右端余白４８、先端余白４９、後端余白５０の情報を受け取り、主走査方向の画素数と、副走査方向のライン数を設定する。Ｓ２０２では、ホストコンピュータより印字指令を受信したかを判断し、受信すればＳ２０３へ移行する。Ｓ２０３では、濃度センサ１７aで読み取るパッチ画像位置に相当する画像領域の先端余白部分のライン数を格納する先端左白紙ライン数バッファをクリアする。
【００６７】
Ｓ２０４では、濃度センサ１７aで読み取るパッチ画像位置に相当する画像領域の後端余白部分のライン数を格納する後端左白紙ライン数バッファをクリアする。Ｓ２０５では、コードデータを受信し、ＲＡＭ２５へ格納する。Ｓ２０６では、受信したコードデータを画素データに変換する。Ｓ２０７では、先端左白紙ライン数が確定したかを判断し、確定していなければＳ２０８へ移行し、確定していればＳ２１４へ移行する。Ｓ２０８では、Ｓ２０６で変換した画素データが、濃度センサ１７aで読み取るパッチ画像位置に相当する画像領域内かを判断し、画像領域内であればＳ２０９へ移行し、画像領域外であればＳ２１７へ移行する。
【００６８】
Ｓ２０９では、画素データが白画素データ（トナーを載せない状態を指示するデータ）であるか否か判断し、白画素データであればＳ２１１へ移行し、白画素データでなければＳ２１３へ移行する。Ｓ２１０では、白画素データが、濃度センサ１７aで読み取るパッチ画像位置に相当する画像領域内の１ライン（主走査方向の画素数）分連続したかを判断する。１ライン連続して白画素データであればＳ２１２へ移行し、１ラインに達していなければＳ２１７へ移行する。Ｓ２１１では、先端白紙ライン数バッファの値を＋１加算する。Ｓ２１２は、濃度センサ１７aで読み取るパッチ画像位置に相当する画像領域内の先端からの白紙ラインが途切れたと判断し、先端白紙ライン数バッファの値を確定する。Ｓ２１３では、Ｓ２０６で変換した画素データが、濃度センサ１７aで読み取るパッチ画像位置に相当する画像領域内にあるか否かを判断し、画像領域内であればＳ２１４へ移行し、画像領域外であればＳ２１７へ移行する。
【００６９】
Ｓ２１４では、後端左白紙ライン数の始まりを検出していることから、濃度センサ１７aで読み取るパッチ画像位置に相当する画像領域内の画素データが白画素データで有るかを判断し、白画素データであればＳ２１５へ移行する。白画素データでなければＳ２１７へ移行する。Ｓ２１５では、濃度センサ１７aで読み取るパッチ画像位置に相当する画像領域内の白画素データが１ライン（主走査方向の画素数）分連続したか判断し、１ライン連続して白画素データであればＳ２１６へ移行し、１ライン分に達していなければＳ２１７へ移行する。Ｓ２１６では、後端左白紙ライン数バッファの値を＋１加算する。Ｓ２１７では、画素データをＲＡＭ２３へ格納する。
【００７０】
Ｓ２１８では、１ページ分の画素データを処理したかを判断し、処理が終わっていなければＳ２０５へ戻り、１ページ分の処理が終わればＳ２１９へ移行する。Ｓ２１９では、１ページ分の処理が終わったと判断し、後端白紙ライン数バッファの値を確定する。Ｓ２２０では、前述した印字動作の開始を行なうと、本処理はＳ２０１へ戻り、濃度センサ１７aで読み取るパッチ画像位置に相当する画像領域内の余白部分を識別するため、次のページに対する処理を開始する。
【００７１】
次に、本実施形態の連続印刷中の濃度補正動作で実施形態１と違う動作の説明をする。ＣＰＵ２１は、濃度センサ１７aで読み取るパッチ画像位置に相当する画像領域の余白部分を識別する処理と、濃度センサ１７ｂで読み取るパッチ画像位置に相当する画像領域の余白部分を識別する処理によりｎページ目の後端左（右）白紙ライン数を確定する。
【００７２】
確定したｎページ目の後端左（右）白紙ライン数の小さい方に後端余白５０に相当するライン数分を加えたライン数を後端余白ライン数とする。同様に、濃度センサ１７aで読み取るパッチ画像位置に相当する画像領域の余白部分を識別する処理と、濃度センサ１７ｂで読み取るパッチ画像位置に相当する画像領域の余白部分を識別する処理とによりｎ＋１ページ目の先端左（右）白紙ライン数を確定する。確定したｎ＋１ページ目の先端左（右）白紙ライン数の小さい方に、先端余白４９に相当するライン数分を加えたライン数を先端余白ライン数とする。従って、紙間に相当するライン数と、ｎページ目の後端余白ライン数と、ｎ＋１ページ目の先端余白ライン数分を加えたライン数分がｎページ目とｎ＋１ページ目の間で濃度補正動作を行なえる領域となる。
【００７３】
濃度補正動作を行なえる領域を確定した後は、以下のクリーニング動作以外は第一の実施例と同等の動作を行なう。本実施形態では、中間転写ベルト８上に残ったトナーをクリーニングローラ５７で全て除去する事が出来ない為、2次転写終了後にクリーニングローラ５４を設けて中間転写ベルト８上に残ったトナーを除去する。以上、実施形態２によれば、濃度センサ１７で読み取るパッチ画像位置に相当する画像領域の余白部分と紙間に相当するライン数とを加えたライン数分で濃度補正動作を行なえるため、第一の実施例に比べパッチ画像をより多く形成する事が可能になる。なお、実施例では濃度補正に関して説明を行ったものの、濃度補正に限定されるものではなく、例えば、複数の色の線状のパッチにより色ずれを検知し補正する、色ずれ補正にも適用できる。
【００７４】
［他の実施形態］
また、本発明の目的は、以下の処理を実行することによっても達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。この場合、記憶媒体から読み出されたプログラムコード自体が前述した実施の形態の機能を実現することになり、そのプログラムコード及び該プログラムコードを記憶した記憶媒体は本発明を構成することになる。
【図１】
2010266536.tif 000003
【図２】
2010266536.tif 000004
【図３】
2010266536.tif 000005
【図４】
2010266536.tif 000006
【図５】
2010266536.tif 000007
【図６】
2010266536.tif 000008
【図７】
2010266536.tif 000009
【図８】
2010266536.tif 000010
【図９】
2010266536.tif 000011
【図１０】
2010266536.tif 000012
【図１１】
2010266536.tif 000013
【図１２】
2010266536.tif 000014